(57)【特許請求の範囲】
【請求項１】
化粧品を格納する容器本体と、前記容器本体と着脱可能に係合する蓋体を有する化粧品容器であって、
前記容器本体は、前記容器本体の基本構造を構成する本体部と、前記容器本体の内面を構成する内面部によって構成されており、
前記内面部は、細菌を低減する効果を有する金属の微粒子が樹脂中に分散し、前記微粒子の作用によって細菌を低減する滅菌部として構成されており、
前記微粒子は前記内面部の表面に露出しないように構成されており、
前記内面部の各位置において問題となると想定される細菌の種類に応じて、前記滅菌部を構成する前記金属の種類が規定されている、
化粧品容器。
【請求項２】
前記内面部は、
複数種類の前記金属の微粒子を含み、
前記内面部の前記各位置において、問題となると想定される細菌の種類に応じて、前記金属の微粒子の全含有量に対する各前記金属の微粒子の含有量が規定される、請求項１に記載の化粧品容器。
【請求項３】
前記内面部の各位置は、相対的に上側に位置する上側部と、相対的に下側に位置する下側部を含み、
前記上側部において問題となる可能性が相対的に高いと想定される細菌の種類は好気性細菌であり、前記下側部において問題となる可能性が相対的に高いと想定される細菌の種類は嫌気性細菌であり、
前記上側部においては、前記好気性細菌を効果的に低減させる性質を有する前記金属の微粒子の含有量が大きくなるように構成され、
前記下側部においては、前記嫌気性細菌を効果的に低減させる性質を有する前記金属の微粒子の含有量が大きくなるように構成されている、請求項２に記載の化粧品容器。
【請求項４】
前記内面部は、上方から下方に向かうに連れて、前記好気性細菌を効果的に低減させる性質を有する前記金属の微粒子の含有量が低下し、前記嫌気性細菌を効果的に低減させる性質を有する前記金属の微粒子の含有量が増加するように構成されている、
請求項２に記載の化粧品容器。
【請求項５】
前記内面部において、前記金属の微粒子は、前記内面部の前記化粧品と接する面に近い位置ほど、含有量が多くなるように構成されている、
請求項１乃至請求項４のいずれかに記載の化粧品容器。
【請求項６】
前記内面部の厚さは、前記微粒子の外形の大きさとの関係において規定される所定範囲の厚さに形成されている、請求項１乃至請求項５のいずれかに記載の化粧品容器。
【請求項７】
前記内面部は、側面部と底面部を有し、前記側面部及び／または前記底面部は、複数の凸部及び凹部を有する凹凸面として形成されている、請求項１乃至請求項６のいずれかに記載の化粧品容器。
【請求項８】
前記内面部は、側面部と底面部を有し、前記側面部または前記底面部のいずれか一方のみが、前記滅菌部として構成されている、
請求項１乃至請求項７のいずれかに記載の化粧品容器。
【請求項９】
化粧品を格納する容器本体と、前記容器本体と着脱可能に係合する蓋体を有する化粧品容器であって、
前記蓋体には、接続部材を介して内蓋が接続されており、
前記内蓋は、上部を構成する内蓋本体部と、下部を構成する内蓋下部から構成されており、
前記内蓋下部は、細菌を低減する効果を有する金属の微粒子が樹脂中に分散し、前記微粒子の作用によって細菌を低減する滅菌部として構成されており、
前記内蓋下部は、前記微粒子が前記内蓋下部の表面に露出しないように構成されており、
前記接続部材の長さは、前記内蓋が前記容器本体の底面に接することができる調整可能な長さとして規定されており、
前記接続部材の長さが調整されることによって、前記容器本体に格納された前記化粧品の量に関わらず、前記内蓋下部が前記化粧品に接するように構成されており、
前記内蓋下部は、複数種類の前記金属の微粒子のうち、好気性細菌を効果的に低減することができる性質を有する前記金属の微粒子の含有量が多くなるように構成されている、
化粧品容器。
【請求項１０】
化粧品を格納する容器本体と、前記容器本体と着脱可能に係合する蓋体を有する化粧品容器であって、
前記蓋体には、筒状部材が接続されており、
前記筒状部材の表層部は、細菌を低減する効果を有する金属の微粒子が樹脂中に分散し、前記微粒子の作用によって細菌を低減する滅菌部として構成されており、
前記筒状部材の表層部は、前記微粒子が前記表層部の表面に露出しないように構成されており、
前記筒状部材の長さは、前記容器本体の底面に接する長さとして規定されており、
前記容器本体に格納された前記化粧品の量に関わらず、前記筒状部材の内面及び外面の前記表層部が前記化粧品に接するように構成されており、
前記表層部の各位置において問題となると想定される細菌の種類に応じて、前記滅菌部を構成する前記金属の種類が規定されている、
化粧品容器。
【請求項１１】
化粧品を格納する容器本体と、前記容器本体と着脱可能に係合する蓋体を有する化粧品容器であって、
前記蓋体には、少なくとも１つの棒状部材が接続されており、
前記棒状部材の表層部は、細菌を低減する効果を有する金属の微粒子が樹脂中に分散し、前記微粒子の作用によって細菌を低減する滅菌部として構成されており、
前記表層部は、前記微粒子が前記表層部の表面に露出しないように構成されており、
前記棒状部材は、前記蓋体の中心から乖離した位置に接続されており、前記蓋体が前記容器本体への脱着のために回動すると、回動するように構成されており、前記容器本体に格納された前記化粧品を攪拌するように構成されており、
前記表層部の各位置において問題となると想定される細菌の種類に応じて、前記滅菌部を構成する前記金属の種類が規定されている、
化粧品容器。
【請求項１２】
化粧品を格納する容器本体と、前記容器本体と着脱可能に係合する蓋体を有する化粧品容器であって、
前記容器本体には、本体側内蓋が配置されており、
前記本体側内蓋は、
上部を構成する本体側内蓋本体部と、下部を構成する本体側内蓋下部を有し、
前記本体側内蓋を上下方向に貫通する貫通孔が形成されており、
前記本体側内蓋下部は、細菌を低減する効果を有する金属の微粒子が樹脂中に分散し、前記微粒子の作用によって細菌を低減する滅菌部として構成されており、
前記本体側内蓋下部は、前記微粒子が前記本体側内側下部の表面に露出しないように構成されており、
前記本体側内蓋下部が前記化粧品に接し、前記化粧品を押圧するように前記本体側内蓋を移動させることにより、前記貫通孔から前記化粧品が押し出されるように構成されており、
前記本体側内蓋下部は、複数種類の前記金属の微粒子のうち、好気性細菌を効果的に低減する性質を有する前記金属の微粒子の含有量が多くなるように構成されている、
化粧品容器。
【請求項１３】
化粧品を格納する容器本体と着脱可能に係合する蓋体に接続される内蓋であって、
前記内蓋は、
前記蓋体に、接続部材を介して接続されており、
上部を構成する内蓋本体部と、下部を構成する内蓋下部によって構成されており、
前記内蓋下部は、細菌を低減する効果を有する金属の微粒子が樹脂中に分散し、前記微粒子の作用によって細菌を低減する滅菌部として構成されており、
前記内蓋下部は、前記微粒子が前記内蓋下部の表面に露出しないように構成されており、
前記接続部材の長さは、前記内蓋が前記容器本体の底面に接することができる調整可能な長さとして規定されており、
前記接続部材の長さが調整されることによって、前記容器本体に格納された前記化粧品の量に関わらず、前記内蓋下部が前記化粧品に接するように構成されており、
前記内蓋下部は、複数種類の前記金属の微粒子のうち、好気性細菌を効果的に低減する性質を有する前記金属の微粒子が多く含有するように構成されている、
内蓋。
【請求項１４】
化粧品を格納する容器本体と着脱可能に係合する蓋体に接続される筒状部材であって、
前記筒状部材の表層部は、細菌を低減する効果を有する金属の微粒子が樹脂中に分散し、前記微粒子の作用によって細菌を低減する滅菌部として構成されており、
前記表層部は、前記微粒子が前記表層部の表面に露出しないように構成されており、
前記筒状部材の長さは、前記容器本体の底面に接する長さとして規定されており、
前記容器本体に格納された前記化粧品の量に関わらず、前記筒状部材の内面及び外面の前記表層部が前記化粧品に接するように構成されており、
前記表層部の各位置において問題となると想定される細菌の種類に応じて、前記滅菌部を構成する前記金属が規定されている、
筒状部材。
【請求項１５】
化粧品を格納する容器本体と着脱可能に係合する蓋体に接続される棒状部材であって、
前記棒状部材の表層部は、細菌を低減する効果を有する金属の微粒子が樹脂中に分散し、前記微粒子の作用によって細菌を低減する滅菌部として構成されており、
前記表層部は、前記微粒子が前記表層部の表面に露出しないように構成されており、
前記棒状部材は、前記蓋体の中心から乖離した位置に接続されており、前記蓋体が前記容器本体への脱着のために回動すると、回動するように構成されており、前記容器本体に格納された前記化粧品を攪拌するように構成されており、
前記表層部の各位置において問題となると想定される細菌の種類に応じて、前記滅菌部を構成する前記金属が規定されている、
棒状部材。
【請求項１６】
化粧品を格納する容器本体に配置される本体側内蓋であって、
前記本体側内蓋は、
上部を構成する本体側内蓋本体部と、下部を構成する本体側内蓋下部が一体に形成されて構成されており、
前記本体側内蓋を上下方向に貫通する貫通孔が形成されており、
前記本体側内蓋下部は、細菌を低減する効果を有する金属の微粒子が樹脂中に分散し、前記微粒子の作用によって細菌を低減する滅菌部として構成されており、
前記本体側内側下部は、前記微粒子が前記本体側内側下部の表面に露出しないように構成されており、
前記本体側内蓋下部が前記化粧品に接し、前記化粧品を押圧するように前記本体側内蓋を移動させることにより、前記貫通孔から前記化粧品が押し出されるように構成されており、
前記内蓋下部は、複数種類の前記金属の微粒子のうち、好気性細菌を効果的に低減する性質を有する前記金属の微粒子が多く含有するように構成されている、
本体側内蓋。
【発明の詳細な説明】
【技術分野】
【０００１】
本発明は化粧品容器、内蓋、筒状部材、棒状部材及び本体側内蓋に関する。
【背景技術】
【０００２】
化粧品容器として、ファンデーション等の化粧品の品質を維持しつつ、保存できることが重要である。【０００３】
このため、化粧品に、防腐剤（パラペン等）や、防腐効果を有するフェノキシエタノールなどの添加物が添加される場合がある。しかし、防腐剤や添加物は使用しない方が好ましい。これに対して、１回の使用量を充填するに足る容量の小さな容器に化粧品を充填する技術が提案されている（例えば、特許文献１）。
【先行技術文献】
【特許文献】
【０００４】
【特許文献１】特許第４６２７５６２号公報
【発明の概要】
【発明が解決しようとする課題】
【０００５】
１回の使用量が微量である場合には、１回の使用量を充填するに足る容量の小さな容器に化粧品を充填すると、多数の容器を必要とする。また、１回の使用量は、異なる人において異なる場合があり、また、同一人物であっても、状況に応じて異なる場合があるから、容器中の化粧品の量に過不足が生じ、結局、化粧品が無駄になる場合がある。【０００６】
本発明は、上記を踏まえて、化粧品中の細菌を低減することができる化粧品容器、内蓋、筒状部材、棒状部材及び本体側内蓋を提供するものである。
【課題を解決するための手段】
【０００７】
第一の発明は、化粧品を格納する容器本体と、前記容器本体と着脱可能に係合する蓋体を有する化粧品容器であって、前記容器本体は、前記容器本体の基本構造を構成する本体部と、前記容器本体の内面を構成する内面部によって構成されており、前記内面部は、細菌を低減する効果を有する金属の微粒子が樹脂中に分散し、前記微粒子の作用によって細菌を低減する滅菌部として構成されており、前記微粒子は前記内面部の表面に露出しないように構成されており、前記内面部の各位置において問題となると想定される細菌の種類に応じて、前記滅菌部を構成する前記金属の種類が規定されている、化粧品容器である。【０００８】
第一の発明の構成によれば、内面部は、細菌を低減する効果を有する金属の微粒子が樹脂中に分散されて構成されており、かつ、微粒子の表面は内面部の表面に露出しないから金属が化粧品と直接接することはない。このため、金属と化粧品の成分が化学反応を起こし、化粧品が変性することはない。本明細書において詳述するように、金属が直接的に化粧品に接しない場合であっても、細菌を低減することができることは、実験によって確認されている。さらに、本発明の発明者は、金属の種類によって、効果的に低減させることができる細菌の種類が異なることを見出した。本発明の発明者は、例えば、好気性細菌を効果的に低減させることができる金属と、嫌気性細菌を効果的に低減させることができる金属が存在することを見出した。そして、本発明の発明者は、内面部の位置において問題になると想定される細菌の種類に応じて、その低減に効果的な金属の種類を決定し、決定した金属の微粒子を滅菌部に分散させる技術（以下、「選択分散」と呼ぶ）に想到した。この点、第一の発明の構成によれば、内面部の各位置において問題となると想定される細菌の種類に応じて、滅菌部を構成する金属の種類が規定されているから、選択分散を実現することができる。【０００９】
第二の発明は、第一の発明の構成において、前記内面部は、複数種類の前記金属の微粒子を含み、前記内面部の前記各位置において問題となると想定される細菌の種類に応じて、前記金属の微粒子の全含有量に対する各前記金属の微粒子の含有量が規定される、化粧品容器である。【００１０】
内面部の特定の位置において問題となると想定される細菌の種類は、１種類とは限らない。本発明の発明者は、内面部の特定の位置において、問題となると想定される細菌は、複数種類であり、その特定の位置によって、相対的に多く存在し得る細菌の種類が異なることを見出した。例えば、内面部のいずれの位置においても、好気性細菌と嫌気性細菌が問題となり得るが、上方においては好気性細菌が嫌気性細菌よりも多く、下方においては嫌気性細菌が好気性細菌よりも多いと想定される。そして、本発明の発明者は、特定の位置において問題となると想定される複数種類の細菌の種類に応じて、それぞれの細菌を効果的に低減させるための複数種類の金属の微粒子を配合して滅菌部に分散させる技術（以下、「荷重分散」と呼ぶ。）に想到した。この点、第二の発明の構成によれば、内面部は、複数種類の金属の微粒子を含み、内面部の前記各位置において問題となると想定される細菌の種類に応じて、各金属の微粒子の含有量が規定されているから、荷重分散を実現することができる。なお、荷重分散は、選択分散の下位概念の技術である。【００１１】
第三の発明は、第二の発明の構成において、前記内面部の各位置は、相対的に上側に位置する上側部と、相対的に下側に位置する下側部を含み、前記上側部において問題となる可能性が相対的に高いと想定される細菌の種類は好気性細菌であり、前記下側部において問題となる可能性が相対的に高いと想定される細菌の種類は嫌気性細菌であり、前記上側部においては、前記好気性細菌を効果的に低減させる性質を有する前記金属の微粒子の含有量が大きくなるように構成され、前記下側部においては、前記嫌気性細菌を効果的に低減させる性質を有する前記金属の微粒子の含有量が大きくなるように構成されている、化粧品容器である。【００１２】
第三の発明の構成によれば、内面部の各位置において、問題となる可能性が相対的に高いと想定される細菌の種類に応じて、金属の種類を決定し、その金属の微粒子の含有量を大きくすることによって、各位置において問題となる可能性が相対的に高いと想定される細菌を効果的に低減することができる。【００１３】
第四の発明は、第二の発明の構成において、前記内面部は、上方から下方に向かうに連れて、前記好気性細菌を効果的に低減させる性質を有する前記金属の微粒子の含有量が低下し、前記嫌気性細菌を効果的に低減させる性質を有する前記金属の微粒子の含有量が増加するように構成されている、化粧品容器である。【００１４】
容器本体に化粧品を格納した状態において、容器本体の上方ほど、好気性細菌が問題となる可能性が高く、容器本体の下方ほど、嫌気性細菌が問題となる可能性が高い。この点、第四の発明の構成によれば、好気性細菌と嫌気性細菌が問題となる可能性に応じて、効果的に細菌を低減することができる金属の微粒子の含有量を規定するから、各位置において効果的に細菌を低減することができる。【００１５】
第五の発明は、第一の発明乃至第四の発明のいずれかの構成において、前記内面部において、前記金属の微粒子は、前記内面部の前記化粧品と接する面に近い位置ほど、含有量が多くなるように構成されている、化粧品容器である。【００１６】
金属微粒子を化粧品と接する面に近接して分散させるほど、細菌の低減効果が大きい。この点、第五の発明の構成によれば、金属の微粒子は、内面部の化粧品と接する面に近い位置ほど、含有量が多くなるように構成されているから、効果的に細菌を低減することができる。【００１７】
第六の発明は、第一の発明乃至第五の発明のいずれかの構成において、前記内面部の厚さは、前記微粒子の外形の大きさとの関係において規定される所定範囲の厚さに形成されている、化粧品容器である。【００１８】
第六の発明の構成によれば、例えば、微粒子の比表面積に着目し、微粒子の直径が小さいほど、内面部の厚さを薄くしたり、多くの微粒子から構成される微粒子群の合計の表面積に基づいて、内面部の壁の厚さを規定するなど、一層有効に、微粒子による細菌低減効果を活用することができる。【００１９】
第七の発明は、第一の発明乃至第六の発明のいずれかの構成において、前記内面部は、側面部と底面部を有し、前記側面部及び／または前記底面部は、複数の凸部及び凹部を有する凹凸面として形成されている、化粧品容器である。【００２０】
第七の発明の構成によれば、内面部が凹凸のない曲面または平面である場合に比べて、内面部が化粧品と接する面積を大きく構成することができるから、より一層有効に微粒子による細菌低減効果を活用することができる。【００２１】
第八の発明は、第一の発明乃至第七の発明のいずれかの構成において、前記内面部は、側面部と底面部を有し、前記側面部または前記底面部のいずれか一方のみが、前記滅菌部として構成されている、化粧品容器である。【００２２】
第八の発明の構成によれば、例えば、扁平な容器本体の場合には、底面部のみを滅菌部として構成することによって効果的に細菌を低減し、細長い容器本体の場合には、側面部のみを滅菌部として構成することによって効果的に細菌を低減することができる。【００２３】
第九の発明は、化粧品を格納する容器本体と、前記容器本体と着脱可能に係合する蓋体を有する化粧品容器であって、前記蓋体には、接続部材を介して内蓋が接続されており、前記内蓋は、上部を構成する内蓋本体部と、下部を構成する内蓋下部から構成されており、前記内蓋下部は、細菌を低減する効果を有する金属の微粒子が樹脂中に分散し、前記微粒子の作用によって細菌を低減する滅菌部として構成されており、前記内蓋下部は、前記微粒子が前記内蓋下部の表面に露出しないように構成されており、前記接続部材の長さは、前記内蓋が前記容器本体の底面に接することができる調整可能な長さとして規定されており、前記接続部材の長さが調整されることによって、前記容器本体に格納された前記化粧品の量に関わらず、前記内蓋下部が前記化粧品に接するように構成されており、前記内蓋下部は、複数種類の前記金属の微粒子のうち、好気性細菌を効果的に低減することができる性質を有する前記金属の微粒子の含有量が多くなるように構成されている、化粧品容器である。【００２４】
容器本体中の化粧品において、外部の空気や使用者の手などと接する上部表面に細菌が発生する場合がある。この点、第九の発明の構成によれば、容器本体に蓋体が係合しているときには、滅菌部として構成された内蓋下部が化粧品の上部表面に接するから、化粧品の上部表面に発生した細菌を効果的に低減することができる。【００２５】
第十の発明は、化粧品を格納する容器本体と、前記容器本体と着脱可能に係合する蓋体を有する化粧品容器であって、前記蓋体には、筒状部材が接続されており、前記筒状部材の表層部は、細菌を低減する効果を有する金属の微粒子が樹脂中に分散し、前記微粒子の作用によって細菌を低減する滅菌部として構成されており、前記筒状部材の表層部は、前記微粒子が前記表層部の表面に露出しないように構成されており、前記筒状部材の長さは、前記容器本体の底面に接する長さとして規定されており、前記容器本体に格納された前記化粧品の量に関わらず、前記筒状部材の内面及び外面の前記表層部が前記化粧品に接するように構成されており、前記表層部の各位置において問題となると想定される細菌の種類に応じて、前記滅菌部を構成する前記金属の種類が規定されている、化粧品容器である。【００２６】
第十の発明の構成によれば、容器本体に蓋体が係合しているときには、滅菌部として構成された筒状部材の内面及び外面の表層部が化粧品に接するから、化粧品に発生した細菌を効果的に低減することができる。【００２７】
第十一の発明は、化粧品を格納する容器本体と、前記容器本体と着脱可能に係合する蓋体を有する化粧品容器であって、前記蓋体には、少なくとも１つの棒状部材が接続されており、前記棒状部材の表層部は、細菌を低減する効果を有する金属の微粒子が樹脂中に分散し、前記微粒子の作用によって細菌を低減する滅菌部として構成されており、前記表層部は、前記微粒子が前記表層部の表面に露出しないように構成されており、前記棒状部材は、前記蓋体の中心から乖離した位置に接続されており、前記蓋体が前記容器本体への脱着のために回動すると、回動するように構成されており、前記容器本体に格納された前記化粧品を攪拌するように構成されており、前記表層部の各位置において問題となると想定される細菌の種類に応じて、前記滅菌部を構成する前記金属の種類が規定されている、化粧品容器である。【００２８】
第十一の発明の構成によれば、容器本体に蓋体が係合しているときには、滅菌部として構成された棒状部材の表層部が化粧品に接するから、化粧品に発生した細菌を効果的に低減することができる。さらに、容器本体に蓋体が脱着されるときには、棒状部材によって化粧品が攪拌され、棒状部材が化粧品の多くの部分に接し、より効果的に細菌を低減することができる。【００２９】
第十二の発明は、化粧品を格納する容器本体と、前記容器本体と着脱可能に係合する蓋体を有する化粧品容器であって、前記容器本体には、本体側内蓋が配置されており、前記本体側内蓋は、上部を構成する本体側内蓋本体部と、下部を構成する本体側内蓋下部を有し、前記本体側内蓋を上下方向に貫通する貫通孔が形成されており、前記本体側内蓋下部は、細菌を低減する効果を有する金属の微粒子が樹脂中に分散し、前記微粒子の作用によって細菌を低減する滅菌部として構成されており、前記本体側内蓋下部は、前記微粒子が前記本体側内側下部の表面に露出しないように構成されており、前記本体側内蓋下部が前記化粧品に接し、前記化粧品を押圧するように前記本体側内蓋を移動させることにより、前記貫通孔から前記化粧品が押し出されるように構成されており、前記本体側内蓋下部は、複数種類の前記金属の微粒子のうち、好気性細菌を効果的に低減する性質を有する前記金属の微粒子の含有量が多くなるように構成されている、化粧品容器である。【００３０】
第十二の発明の構成によれば、容器本体及び本体側内蓋下部の滅菌部によって、化粧品中の細菌は低減し、しかも、使用者が使用する化粧品以外は外部に露出しないから、外部の細菌に汚染される可能性が低い。【００３１】
第十三の発明は、化粧品を格納する容器本体と着脱可能に係合する蓋体に接続される内蓋であって、前記内蓋は、前記蓋体に、接続部材を介して接続されており、上部を構成する内蓋本体部と、下部を構成する内蓋下部によって構成されており、前記内蓋下部は、細菌を低減する効果を有する金属の微粒子が樹脂中に分散し、前記微粒子の作用によって細菌を低減する滅菌部として構成されており、前記内蓋下部は、前記微粒子が前記内蓋下部の表面に露出しないように構成されており、前記接続部材の長さは、前記内蓋が前記容器本体の底面に接することができる調整可能な長さとして規定されており、前記接続部材の長さが調整されることによって、前記容器本体に格納された前記化粧品の量に関わらず、前記内蓋下部が前記化粧品に接するように構成されており、前記内蓋下部は、複数種類の前記金属の微粒子のうち、好気性細菌を効果的に低減する性質を有する前記金属の微粒子が多く含有するように構成されている、内蓋である。【００３２】
第十四の発明は、化粧品を格納する容器本体と着脱可能に係合する蓋体に接続される筒状部材であって、前記筒状部材の表層部は、細菌を低減する効果を有する金属の微粒子が樹脂中に分散し、前記微粒子の作用によって細菌を低減する滅菌部として構成されており、前記表層部は、前記微粒子が前記表層部の表面に露出しないように構成されており、前記筒状部材の長さは、前記容器本体の底面に接する長さとして規定されており、前記容器本体に格納された前記化粧品の量に関わらず、前記筒状部材の内面及び外面の前記表層部が前記化粧品に接するように構成されており、前記表層部の各位置において問題となると想定される細菌の種類に応じて、前記滅菌部を構成する前記金属が規定されている、筒状部材である。【００３３】
第十五の発明は、化粧品を格納する容器本体と着脱可能に係合する蓋体に接続される棒状部材であって、前記棒状部材の表層部は、細菌を低減する効果を有する金属の微粒子が樹脂中に分散し、前記微粒子の作用によって細菌を低減する滅菌部として構成されており、前記表層部は、前記微粒子が前記表層部の表面に露出しないように構成されており、前記棒状部材は、前記蓋体の中心から乖離した位置に接続されており、前記蓋体が前記容器本体への脱着のために回動すると、回動するように構成されており、前記容器本体に格納された前記化粧品を攪拌するように構成されており、前記表層部の各位置において問題となると想定される細菌の種類に応じて、前記滅菌部を構成する前記金属が規定されている、棒状部材である。【００３４】
第十六の発明は、化粧品を格納する容器本体に配置される本体側内蓋であって、前記本体側内蓋は、上部を構成する本体側内蓋本体部と、下部を構成する本体側内蓋下部が一体に形成されて構成されており、前記本体側内蓋を上下方向に貫通する貫通孔が形成されており、前記本体側内蓋下部は、細菌を低減する効果を有する金属の微粒子が樹脂中に分散し、前記微粒子の作用によって細菌を低減する滅菌部として構成されており、前記本体側内側下部は、前記微粒子が前記本体側内側下部の表面に露出しないように構成されており、前記本体側内蓋下部が前記化粧品に接し、前記化粧品を押圧するように前記本体側内蓋を移動させることにより、前記貫通孔から前記化粧品が押し出されるように構成されており、前記内蓋下部は、複数種類の前記金属の微粒子のうち、好気性細菌を効果的に低減する性質を有する前記金属の微粒子が多く含有するように構成されている、本体側内蓋である。
【発明の効果】
【００３５】
本発明にかかる化粧品容器によれば、化粧品中の細菌を低減することができる。
【図面の簡単な説明】
【００３６】
【図１】本発明の第一の実施形態にかかる化粧品容器の概略斜視図である。
【図２】容器本体の概略斜視図である。
【図３】蓋体の概略斜視図である。
【図４】容器本体の概略分解図である。
【図５】容器本体の概略側面図である。
【図６】容器本体の概略平面図である。
【図７】容器本体の概略断面図である。
【図８】内面部の概略断面図である。
【図９】内面部の上側部の断面を示す拡大概念図である。
【図１０】内面部の下側部の断面を示す拡大概念図である。
【図１１】容器本体に化粧品を格納した状態を示す概略断面図である。
【図１２】容器本体に化粧品を格納した状態における内面部の作用を示す概念図である。
【図１３】内面部の上側部の作用を示す拡大概念図である。
【図１４】内面部の下側部の作用を示す拡大概念図である。
【図１５】実験結果を示す図である。
【図１６】本発明の第二の実施形態に係る内面部の概略断面図である。
【図１７】内面部の上側部の断面を示す拡大概念図である。
【図１８】内面部の下側部の断面を示す拡大概念図である。
【図１９】本発明の第三の実施形態に係る内面部の概略断面図である。
【図２０】内面部の断面を示す拡大概念図である。
【図２１】内面部の上下方向の位置における全金属の微粒子の含有量に対する銅の微粒子の含有量を概念的に示すグラフである。
【図２２】本発明の第四の実施形態に係る内面部の概略断面図である。
【図２３】内面部の断面を示す拡大概念図である。
【図２４】本発明の第五の実施形態にかかる容器本体の概略平面図である。
【図２５】本発明の第六の実施形態にかかる化粧品容器の概略断面図である。
【図２６】本発明の第七の実施形態にかかる化粧品容器の概略断面図である。
【図２７】本発明の第八の実施形態にかかる化粧品容器の蓋体を示す概略斜視図である。
【図２８】内蓋の作用を示す概略図である。
【図２９】内蓋の作用を示す概略図である。
【図３０】本発明の第九の実施形態にかかる化粧品容器の蓋体を示す概略斜視図である。
【図３１】筒状部材の上側部の周壁の層構造を示す概略図である。
【図３２】筒状部材の下側部の周壁の層構造を示す概略図である。
【図３３】筒状部材の作用を示す概略図である。
【図３４】筒状部材の作用を示す概略図である。
【図３５】本発明の第十の実施形態にかかる化粧品容器の蓋体を示す概略斜視図である。
【図３６】棒状部材の層構造を示す概略図である。
【図３７】棒状部材の配置状態等を示す概略底面図である。
【図３８】棒状部材の作用を示す概略図である。
【図３９】本発明の第十一の実施形態にかかる容器本体の概略断面図である。
【図４０】内蓋の概略斜視図である。
【図４１】内蓋の概略底面図である。
【図４２】容器本体の使用状態を示す概略断面図である。
【図４３】第一の参考例を示す概略断面図である。
【図４４】第二の参考例を示す概略断面図である。
【発明を実施するための形態】
【００３７】
以下、図面に基づき本発明の好適な実施形態を説明する。なお、当業者が適宜実施できる構成については説明を省略し、本発明の基本的な構成についてのみ説明する。
【００３８】
＜第一の実施形態＞
図１に示すように、化粧品容器１は、蓋体１０と容器本体２０を有する。容器本体２０は、中空構造であり、その中空構造の空間に化粧品が格納される。蓋体１０も中空構造である。本明細書において、蓋体１０と容器本体２０を結ぶ方向を「上下方向」と呼び、蓋体１０の方向を「上側」、容器本体２０の方向を「下側」と呼ぶ。
【００３９】
図２、４、６及び７に示すように、容器本体２０は、容器本体２０の基本構造を構成する本体部２２と、内面部２４とで構成される。本体部２２は容器本体２０の外層部を構成し、内面部２４は容器本体の内層部を構成する。内面部２４は、本体部２２に接した状態において、本体部２２の内側に形成される。本体部２２は、例えば、樹脂を射出成型して形成される。本体部２２を構成する樹脂として、例えば、ポリプロピレンなどのポリオレフィン系、ポリスチレン系、ポリエステル系の樹脂を使用することができる。
【００４０】
内面部２４は樹脂で成形されている。内面部２４を構成する樹脂の種類は、本体部２２と同一の樹脂を採用してもよいし、異なる樹脂を採用してもよい。内面部２４を構成する樹脂には、細菌を低減する効果を有する金属の多数の微粒子が分散して存在している。内面部２４は滅菌部として構成されている。内面部２４は、金属の微粒子が表面に露出しないように構成されている。内面部２４は、例えば、樹脂の粉末と金属の多数の微粒子とを混合し、シランカップリング材など適宜のカップリング材、その他、必要に応じて添加剤を加えて射出成型することによって形成する。本明細書において、「細菌を低減する」の意味は、細菌の発生を防止する、及び、発生した細菌を低減または消滅する、という意味を含むものとする。
【００４１】
図４及び図７に示すように、内面部２４は、相対的に上側に位置する上側部２４ａと、相対的に下側に位置する下側部２４ｂで構成される。
【００４２】
本体部２２と内面部２４は一体に形成される。一体に形成するために適宜の製法を用いることができるが、例えば、インサート成形、インモールド成形、あるいは、二色成形などの成形方法を使用する。
【００４３】
なお、内面部２４の形成方法は、上述の方法に限定されない。例えば、内面部２４は、本実施形態とは異なり、本体部２２の内側に、樹脂に上述の金属が分散したシート（箔）を接続してもよい。また、内面部２４は、樹脂と上述の金属によってコーティング剤を生成し、本体部２２の内側に塗布してもよい。
【００４４】
細菌を低減する効果を有する金属は、例えば、銅（Ｃｕ）及び銀（Ａｇ）である。なお、細菌を低減する効果を有する金属は、銅及び銀に限定されず、例えば、亜鉛であってもよい。内面部２４の上側部２４ａは、樹脂中に銅の微粒子が分散して形成される。下側部２４ｂは、樹脂中に銀の微粒子が分散して形成される。
【００４５】
図２及び４に示すように、本体部２２は、基部２２ａ及び接続部２２ｂから構成される。接続部２２ｂには雄ねじ部２２ｃが形成されている。図３に示すように、蓋体１０の内面１０ｂには雌ねじ部１０ｃが形成されている。接続部２２ｂの雄ねじ部２２ｃが、蓋体１０の内面に形成された雌ねじ部１０ｃと係合することによって、蓋体１０と容器本体２０は着脱可能に係合する。
【００４６】
図６は、図５の容器本体２０を矢印Ｚ１方向から視た概略平面図である。図７は、図６に示す容器本体２０のＡＡ線概略断面図である。図７に示すように、本体部２２の基部２２ａの厚さＷ１は、内面部２４の厚さＷ２よりも大きい。言い換えると、内面部２４の厚さＷ２は、本体部２２の厚さＷ１よりも小さい。
【００４７】
本体部２２の厚さＷ１に対する内面部２４の厚さＷ２の比Ｃ（Ｗ２／Ｗ１）は、０．００１以上０．０５０以下に規定されており、望ましくは、０．００２以上０．００８以下に規定されている。
【００４８】
例えば、本体部２２の厚さＷ１は３ミリメートル（ｍｍ）であり、内面部２４の厚さＷ２は２０マイクロメートル（μｍ）であり、比Ｃ（Ｗ２／Ｗ１）は、０．００７である。上述のように、内面部２４は細菌を低減する滅菌部として構成されている。これに対して、本体部２２は細菌の低減効果を有さない非滅菌部として構成されている。
【００４９】
図９は、図８に示す内面部２４の上側部２４ａの一部Ｂ１を拡大して示す概念図である。上側部２４ａは、銅の微粒子２８Ａが樹脂２６中に分散されて構成されている。微粒子２８Ａは、上側部２４ａの表面に露出しておらず、樹脂２６に覆われている。本明細書において、「銅」は、銅及び酸化銅を含むものとする。
【００５０】
上側部２４ａの厚さＷ２の所定範囲は、微粒子２８Ａの外形の大きさとの関係において規定される。なお、上側部２４ａの厚さは、下側部２４ｂの厚さと等しい。以下、上側部２４ａの厚さ、及び、下側部２４ｂの厚さを「内面部２４の厚さ」と呼ぶ。微粒子２８Ａの外形の大きさとして、例えば、微粒子の粒度分布の極大値（ｄ５０）を使用する。ｄ５０に相当する直径φ１を微粒子２８Ａの大きさとする。直径φ１の「直径」の定義は球相当径とする。直径φ１は、例えば、レーザ回折式粒度分布測定装置を使用して測定する。なお、本実施形態とは異なり、直径φ１は平均粒子径としてもよい。なお、図９は概念図であるから、説明の便宜のため、単一の直径φ１の微粒子２８Ａのみを表示しているが、実際には、内面部２４には、極大値を直径φ１とする所定の粒度分布（典型的には正規分布）の粒子群が分散している。
【００５１】
微粒子２８Ａの直径φ１は、所定範囲に規定されており、例えば、１０ナノメートル（ｎｍ）以上１００ナノメートル未満であり、望ましくは、１０ナノメートル以上８０ナノメートル未満であり、より望ましくは、１０ナノメートル以上４０ナノメートル以下であり、より望ましくは、１０ナノメートル以上２０ナノメートル以下である。
【００５２】
微粒子２８Ａの外形の形状は、例えば、球形である。ただし、外形の形状は球形に限らない。微粒子２８Ａとして、例えば、福田金属箔粉工業株式会社（京都市山科区西野山中臣町２０番地）の製造に係る「銅ナノ粒子ＳＦＣＰシリーズ」の銅粒子を使用することができる。あるいは、微粒子２８Ａとして、古河ケミカルズ株式会社（大阪府大阪市西淀川区大野三丁目７番１９６号）の製造に係る５０ナノメートル（ｎｍ）程度の一次粒子径を有する亜酸化銅粒子を使用してもよい。
【００５３】
内面部２４の厚さＷ２は、微粒子２８Ａの直径φ１よりも大きく、さらに、粒度分布における最大の粒子径の微粒子２８Ａよりも大きい。これにより、微粒子２８Ａが確実に樹脂２６に覆われて内面部２４の表面に露出することなく、かつ、内面部２４における微粒子２８Ａの含有量を所定範囲に確保することができる。本実施形態においては、直径φ１は５０ナノメートル（ｎｍ）である。本実施形態において、内面部２４における微粒子２８Ａの含有量の所定範囲は、２０重量パーセント（ｗｔ％）以上７５重量パーセント以下であり、望ましくは、４０重量パーセント（ｗｔ％）以上７５重量パーセント以下であり、さらに望ましくは、６０重量パーセント以上７５重量パーセント以下である。本実施形態においては、微粒子２８Ａの含有量は、６５重量パーセントである。  
【００５４】
内面部２４の厚さＷ２は、上述のように、微粒子２８Ａの外形の大きさとの関係において規定される所定範囲の厚さに形成されている。厚さＷ２が大きすぎると、本体部２２に接する側の微粒子２８Ａの細菌低減効果を十分に活用できない。一方、厚さＷ２が小さすぎると、細菌低減効果を奏するための微粒子２８Ａを十分に充填することができない。このため、厚さＷ２は、微粒子２８Ａの外形の大きさとの関係において所定範囲に規定される。
【００５５】
本明細書において、直径φ１に対する厚さＷ２の比率Ｂ（Ｗ２／φ１）を「直径比率Ｂ」と呼ぶ。厚さＷ２と直径φ１との関係は、直径比率Ｂの数値範囲として示される。
【００５６】
直径比率Ｂは、微粒子２８Ａによる細菌低減効果を好適に活用できる範囲として規定する。例えば、直径φ１が小さくなると、個々の微粒子２８Ａの比表面積が大きくなり、また、多数の微粒子２８Ａの集合体としての微粒子群の表面積の合計が大きくなるから、銅イオンが流出するための表面積が大きくなる。このため、直径φ１が小さいほど、直径比率Ｂを小さくするようにしてもよい。
【００５７】
直径比率Ｂは、１００以上１００００以下であり、望ましくは、１００以上５０００以下であり、より望ましくは、１００以上１０００以下であり、より望ましくは、１００以上５００以下である。特定の直径φ１に対して、上記の数値範囲の直径比率Ｂにおいて、厚さＷ２を規定する。本実施形態において、微粒子の直径φ１は５０ナノメートルであり、厚さＷ２は２０マイクロメートルであり、直径比率Ｂは４００である。
【００５８】
図１０は、図８に示す内面部２４の下側部２４ｂの一部Ｂ２を拡大して示す概念図である。下側部２４ｂは、銀の微粒子２８Ｂが樹脂中に分散されて構成されている。微粒子２８Ｂは、下側部２４ｂの表面に露出しておらず、樹脂２６に覆われている。本明細書において、「銀」は、銀及び酸化銀を含むものとする。
【００５９】
銀の微粒子２８Ｂの直径は、銅の微粒子２８Ａの直径φ１と等しい。すなわち、上側部２４ａにおける銅の微粒子２８Ａからなる粒子群と、下側部２８ｂにおける銀の微粒子２８Ｂからなる粒子群は、実質的に同一の粒度分布を有する。
【００６０】
微粒子２８Ｂの外形は、球状である。微粒子２８Ｂとして、として、例えば、DOWAエレクトロニクス株式会社（東京都千代田区外神田四丁目14番１号）の製造に係る「DOWA AG Nano powders」の銀粒子を使用することができる。
【００６１】
銅の微粒子２８Ａ及び銀の微粒子２８Ｂを樹脂中に分散させる方法は、例えば、上述のように、樹脂の粉末に所定量の銅の微粒子２８Ａまたは銀の微粒子２８Ｂを分散させた混合粉を準備し、射出成型によって、その混合粉を溶融及び成型することによって実施する。
【００６２】
図１１に示すように、容器本体２０に化粧品１００を格納すると、図１２及び図１３の矢印Ｘ１に示すように、上側部２４ａを構成する銅の微粒子２８Ａから銅イオンが放出され、樹脂２６を通過し、化粧品１００と接し、化粧品１００中の細菌に作用し、細菌を低減する。
【００６３】
銅の微粒子２８Ａは、化粧品１００と直接的には接触していなくても、細菌を低減する作用を有する。このことは、本発明とは技術分野が異なり、構成も全く異なるが、例えば、特許４１７５４８６号公報に記載がある。また、このことは、図１５に示す実験結果によっても確認されている。例えば、図１５は、北里大学の笹井教授の実験による実験結果である。図１５に示すように、銅の微粒子を含む樹脂で、銅の微粒子が露出していない化粧品容器は、当初約１００，０００ｃｆｕ／４ｃｍ２存在していた生菌数が、１２０分（ｍｉｎｉｕｔｅ）後には皆無になった。なお、「ｃｆｕ」は、「Ｃｏｌｏｎｙ  ｆｏｒｍｉｎｇ  ｕｎｉｔ」を意味する。
【００６４】
化粧品１００と接するのは樹脂２６であり、微粒子２８Ａは化粧品１００と接しないから、化粧品１００の成分と反応することはない。すなわち、銅の微粒子２８Ａと化粧品１００との間に樹脂２６を配置することによって、化粧品１００を変性させることなく、細菌を低減することを可能にしている。また、通常は、化粧品１００に添加される防腐剤を添加しないことができる。あるいは、添加する防腐剤の量を低減することができる。
【００６５】
また、図１１に示すように、容器本体２０に化粧品１００を格納すると、図１２及び図１４の矢印Ｘ２に示すように、下側部２４ｂを構成する銀の微粒子２８Ｂから銀イオンが放出され、樹脂２６を通過し、化粧品１００と接し、化粧品１００中の細菌に作用し、細菌を低減する。
【００６６】
銀の微粒子２８Ｂは、銅の微粒子２８Ａと同様に、化粧品１００と直接的には接触していなくても、細菌を低減する作用を有する。
【００６７】
本発明の発明者は、金属の種類によって、効果的に低減することができる細菌の種類が異なることを見出した。具体的には、好気性細菌を効果的に低減することができる金属の種類と、嫌気性細菌を効果的に低減することができる金属の種類が異なることを見出した。そして、本発明の発明者は、細菌の種類に応じて、その低減に効果的な金属の種類を決定し、その金属の微粒子を滅菌部に分散させる技術（「選択分散」）に想到した。銅と銀については、銅は好気性細菌を効果的に低減することができ、銀は嫌気性細菌を効果的に低減することができる。
【００６８】
化粧品容器１に化粧品１００を格納した場合において、容器本体２０における上側の部分は、空気と接し易いから、主に好気性細菌が問題になると想定される。これに対して、容器本体２０における下方の部分は、空気と接しにくいから、主に嫌気性細菌が問題になると想定される。
【００６９】
好気性細菌は、例えば、カビ、緑膿菌、法線菌、枯草菌である。嫌気性細菌は、例えば、ウェルシュ菌やボツリマス菌である。本実施形態において、上側部２４ａには、好気性細菌を効果的に低減することができる銅の微粒子が分散され、下側部２４ｂには、嫌気性細菌を効果的に低減することができる銀の微粒子が分散されている。これにより、化粧品容器１の容器本体２０における上下方向の位置に応じて、問題になることが想定される細菌を効果的に低減することができる。
【００７０】
樹脂中に分散させる金属の微粒子において、比表面積が重要である。実際の製造における取り扱いの容易性を考慮しない場合には、粒子径が小さいほど比表面積が大きいから望ましい。基準となる粒子径における細菌の低減効果を基準効果とすると、粒子径を小さいものを使用する場合には、粒子の総量を低減しても基準効果を達成することができる。基準となる粒子径を粒子径Ｄ１とし、それよりも小さい粒子径を粒子径Ｄ２とする。樹脂の単位重量当たりの粒子径Ｄ１の金属粒子の含有量を含有量Ｗ１とし、基準効果を達成できるとする。そうすると、樹脂の単位重量当たりの粒子径Ｄ２の金属粒子によって、含有量Ｗ１よりも少ない含有量である含有量Ｗ２によって、基準効果を達成することができる。
【００７１】
＜第二の実施形態＞
次に、図１６乃至図１８を参照して、第二の実施形態について説明する。第一の実施形態と共通する事項は説明を省略し、異なる部分を中心に説明する。
【００７２】
図１６に示すように、内面部２４Ｘは、上側部２４ａｘと下側部２４ｂｘで構成される。上側部２４ａｘと下側部２４ｂｘは、共に、樹脂に複数種類の金属が分散されて構成される。上側部２４ａｘと下側部２４ｂｘとは、すべての金属の含有量に対する各金属の微粒子の含有量が異なる。
【００７３】
複数種類の金属は、本実施形態においては銅と銀である。上側部２４ａｘと下側部２４ｂｘは、共に、銅の微粒子と銀の微粒子を含むが、すべての金属微粒子の含有量に対する銅の微粒子の含有量の割合Ｘｃｕと、すべての金属微粒子の含有量に対する銀の微粒子の含有量の割合Ｘａｇが異なる。本実施形態においては、第一の実施形態と同様に、銅の微粒子の粒度分布と銀の微粒子の粒度分布は実質的に同一である。このため、含有量として、樹脂の単位重量当たりについての、それぞれ、銅の微粒子の重量及び銀の微粒子の重量を使用する。すなわち、銅の微粒子の割合Ｘｃｕは、割合Ｘｃｕ＝（Ｃｕの重量）／（Ａｕ及びＣｕの重量）であり、銀の粒子の割合Ｘａｇは、割合Ｘａｇ＝（Ａｇの重量）／（Ａｕ及びＣｕの重量）である。なお、銅と銀とでは比重が異なるから、本実施態様とは異なり、比重を踏まえて銅と銀の含有量を規定してもよい。例えば、銅の比重を８．５ｇ／ｃｍ３、銀の比重を１０．５ｇ／ｃｍ３とすれば、８．５ｇの銅と１０．５ｇの銀ですべての金属の微粒子を構成するときに、銅と銀の含有量が同一であるというようにしてもよい。
【００７４】
図１７に示すように、上側部２４ａｘにおいては、銅の微粒子２８Ａの含有量が銀の微粒子２８Ｂの含有量よりも多い。そして、図１８に示すように、下側部２４ｂｘにおいては、銀の微粒子２８Ｂの含有量が銅の微粒子２８Ａの含有量よりも多い。すなわち、上側部２４ａｘにおける割合Ｘｃｕは、下側部２４ｂｘにおける割合Ｘｃｕよりも大きい。そして、下側部２４ｂｘにおける割合Ｘａｇは、上側部２４ａｘにおける割合Ｘａｇよりも大きい。なお、図１７及び図１８においては、微粒子２８Ａ及び２８Ｂの数の大小によって、含有量の大小を表現している。このことは、他の図においても同様である。
【００７５】
所定の割合Ｘｃｕ及びＸａｇを実現する方法は、例えば、樹脂の粉末に所定量の銅の微粒子２８Ａ及び銀の微粒子２８Ｂを分散させた混合粉を準備し、射出成型によって、その混合粉を溶融及び成型することによって実施する。
【００７６】
内面部２４Ｘの特定の位置において問題となると想定される細菌の種類は、１種類とは限らない。本発明の発明者は、内面部２４Ｘの特定の位置において、問題となると想定される細菌は、複数種類であり、さらに、その特定の位置によって、相対的に多く存在する特定の種類の細菌が異なることを見出した。
【００７７】
そして、特定の位置において問題となると想定される複数種類の細菌に応じて、それぞれの細菌を効果的に低減させるための金属の微粒子を混合して滅菌部に分散させる技術（「荷重分散」）に想到した。
【００７８】
本実施形態において、上側部２４ａｘ及び下側部２４ｂｘには、共に、好気性細菌及び嫌気性細菌が問題となり得るが、上側部２４ａｘにおいては相対的に好気性細菌が多く存在し得ると想定され、下側部２４ｂｘには相対的に嫌気性細菌が多く存在し得ると想定される。そして、上側部２４ａｘは銅の微粒子の含有量が銀の微粒子の含有量よりも大きく、下側部２４ｂｘには銀の微粒子の含有量が銅の微粒子の含有量よりも大きいから、内面部２４Ｘの特定の位置において問題となると想定される複数種類の細菌に応じて、それぞれの細菌を効果的に低減することができる。
【００７９】
＜第三の実施形態＞
次に、図１９乃至図２１を参照して、第三の実施形態について説明する。第一の実施形態または第二の実施形態と共通する事項は説明を省略し、異なる部分を中心に説明する。
【００８０】
内面部２４Ｙのうち、内周部２４ａｙは、好気性細菌を効果的に低減させる性質を有する金属の微粒子と、嫌気性細菌を効果的に低減させる性質を有する金属の微粒子を含む。そして、内周部２４ａｙは、上方ほど、好気性細菌を効果的に低減させる性質を有する金属の微粒子の含有量が多く、上方から下方へ向かうに連れて、好気性細菌を効果的に低減させる性質を有する金属の微粒子の含有量が低下するように構成されている。一方、内周部２４ａｙは、上方から下方へ向かうに連れて、嫌気性細菌を効果的に低減させる性質を有する金属の微粒子の含有量が増加するように構成されている。
【００８１】
図２０に示すように、内周部２４ａｙを上方から下方に向かって、領域Ｓ１乃至Ｓ５に区分すると、領域Ｓ１からＳ５に向かうに連れて、銅の微粒子２８Ａの含有量が低下し、銀の微粒子２８Ｂの含有量が増加する。逆に、領域Ｓ５からＳ１に向かうに連れて、銅の微粒子２８Ａの含有量が増加し、銀の微粒子２８Ｂの含有量が低下する。内周部２４ａｙにける金属粒子の分布をこのように構成するためには、例えば、比重を利用する。例えば、射出成形において、銅の比重が銀の比重よりも小さいことを利用する。
【００８２】
より詳細には、図２１に示すように、底部２４ｂｙからの距離を高さ（Ｈｉｇｈｔ）と定義すると、高さが大きいほど、すべての金属粒子における銅の微粒子の含有量の割合が大きい。逆に、高さが小さいほど、すべての金属粒子における銀の微粒子の含有量の割合が大きい。底部２４ｂｙは、樹脂に銀の微粒子２８Ｂのみが分散されて構成される。底部２４ｂｙにおいては、主に嫌気性細菌が問題になると想定されるからである。
【００８３】
容器本体１に化粧品１００を格納した状態において、容器本体１の下部に向かうほど、問題になると想定されるすべての細菌において、好気性細菌の割合が低下し、嫌気性細菌の割合が増加すると考えられる。この点、本実施形態によれば、問題となると想定される好気性細菌と嫌気性細菌の割合に応じて、各位置において効果的に細菌を低減することができる。
【００８４】
＜第四の実施形態＞
次に、図２２乃び２３を参照して、第四の実施形態について説明する。第一の実施形態乃至第三の実施形態と共通する事項は説明を省略し、異なる部分を中心に説明する。
【００８５】
内面部２４Ｚを構成する内周部２４ａｚは、金属の微粒子２８Ａ及び２８Ｂが樹脂２６に分散して構成される。図２３を参照して、内周部２４ａｚについて説明する。内周部２４ａｚにおける一方の面２４ｚＲが化粧品に接する。金属の微粒子２８Ａ及び２８Ｂは、面２４ｚＲ側の位置において、反対側の面２４ｚＬ側の位置より多く含有されている。
【００８６】
金属微粒子を化粧品と接する面に近接して分散させるほど、細菌の低減効果が大きい。この点、本実施形態の構成によれば、金属の微粒子は、化粧品と接する面とは反対側の位置に対して、化粧品と接する面の側の位置において、より多く含有されているから、効果的に細菌を低減することができる。
【００８７】
金属微粒子を、内面部２４Ｚの一方の面により多く分布させる技術は、例えば、樹脂の粉末に所定量の銅の微粒子２８Ａ及び銀の微粒子２８Ｂを分散させた混合粉を準備し、電界中または磁界中において、射出成型によって、その混合粉を溶融及び成型することによって実施する。あるいは、混合紛の配合を適宜に調整することによって実施してもよい。混合紛の配合には、添加剤及び潤滑材の配合を含むが、これらに限定されない。
【００８８】
本実施形態とは異なり、内面部２４Ｚは、一種類の金属の微粒子を含むように構成してもよい。例えば、内面部２４Ｚは、銅の微粒子２８Ａまたは銀の微粒子２８Ｂのいずれか一方のみを含むように構成してもよい。
【００８９】
＜第五の実施形態＞
次に、図２４を参照して、第五の実施形態について説明する。第一の実施形態乃至第四の実施形態と共通する事項は説明を省略し、異なる部分を中心に説明する。
【００９０】
図２４に示すように、第五の実施形態の容器本体２０Ａの内面部２４Ａの側面は、複数の凸部及び凹部を有する凹凸面として形成されている。これにより、内面部２４Ａが凹凸を有さない曲面である場合に比べて、内面部２４Ａが化粧品１００と接する面積を大きくすることができる。内面部２４Ａにおける金属の微粒子の分散態様は、第一の実施形態乃至第四の実施形態のいずれかの態様を適用する。
【００９１】
なお、内面部２４Ａの厚さＷ２は、第一の実施形態と同様である。すなわち、本体部２２Ａの内側面も凹凸面として形成されており、内面部２４Ａは本体部２２Ａの内側面と一体に形成される。
【００９２】
なお、本実施形態とは異なり、内面部２４Ａの側面と底面の双方が複数の凸部及び凹部を有する凹凸面として形成されていてもよいし、底面のみがそのような凹凸面として形成されていてもよい。
【００９３】
＜第六の実施形態＞
次に、図２５を参照して、第六の実施形態について説明する。第一の実施形態乃至第四の実施形態と共通する事項は説明を省略し、異なる部分を中心に説明する。
【００９４】
第六の実施形態の化粧品容器の容器本体２０Ｂの内面部２４Ｂは、側面にのみ配置されている。すなわち、本体部２２は、側面と底面を有するが、そのうち、側面にのみ滅菌層が配置されている。なお、図２５の容器本体２０Ｂとは異なり、底面が小さい細長い形状の容器本体であれば、内面部２４Ｂを側面にのみ配置することによって、効果的に細菌を低減することができる。内面部２４Ｂにおける金属の微粒子の分散態様は、第一の実施形態乃至第四の実施形態のいずれかの態様を適用する。
【００９５】
＜第七の実施形態＞
次に、図２６を参照して、第七の実施形態について説明する。第一の実施形態乃至第四の実施形態と共通する事項は説明を省略し、異なる部分を中心に説明する。
【００９６】
第七の実施形態の化粧品容器の容器本体２０Ｃの内面部２４Ｃは、底面にのみ配置されいる。すなわち、本体部２２は、側面と底面を有するが、そのうち、底面にのみ滅菌層が配置されている。なお、図２６の容器本体２０Ｃとは異なり、深さが小さく、より扁平な形状の容器本体であれば、内面部２４Ｃを底面にのみ配置することによって、効果的に細菌を低減することができる。内面部２４Ｃは、樹脂に嫌気性細菌を低減するために好適な金属の微粒子が分散して構成されている。金属の微粒子は、例えば、銀の微粒子である。銀の微粒子の分散態様は、第四の実施形態と同様に、化粧品１００と接する面に近い方におり多く分布させるのが望ましい。
【００９７】
＜第八の実施形態＞
次に、図２７乃至２９を参照して、第八の実施形態について説明する。第一の実施形態乃至第四の実施形態と共通する事項は説明を省略し、異なる部分を中心に説明する。
【００９８】
図２７に示すように、蓋体１０Ｄには、紐状部材３０を介して内蓋３２が接続されている。紐状部材３０は、接続部材の一例である。紐状部材３０は、例えば、ポリエステル製の紐である。接続部材としては、紐状部材に限らず、例えば、バネを採用してもよい。
【００９９】
内蓋３２は、上部を構成する内蓋本体部３２ａと、下部を構成する内蓋下部３２ｂが一体に形成されて構成されている。内蓋本体部３２ａの厚さＷ３は内蓋下部３２ｂの厚さＷ２よりも大きい。内蓋本体部３２ａは、内蓋３２の構造部材として機能し、また、内蓋３２を化粧品１００に押圧するための重量を有する部材として機能する。内蓋本体部３２ａの厚さＷ３は、例えば、５ミリメートルである。内蓋下部３２ｂの厚さＷ２は、例えば、２０マイクロメートルである。
【０１００】
内蓋下部３２ｂは、銅の微粒子２８Ａ（図９参照）が樹脂中に分散され、かつ、銅の微粒子２８Ａは樹脂２６（図９参照）に覆われて表面に露出せず、銅の微粒子２８Ａの作用によって細菌を低減する滅菌部として構成されている。すなわち、第一の実施形態における内面部２４に加えて、第二の滅菌部として、内蓋下部３２ｂが存在する。
【０１０１】
内蓋下部３２ｂの厚さＷ２は、銅の微粒子２８Ａの外形大きさとの関係で規定される所定範囲において規定される。その所定範囲の規定方法は、第一の実施形態の内面部２４の厚さＷ２の規定方法と同様である。
【０１０２】
紐状部材３０の長さは、内蓋３２が容器本体２０Ｄの底面に接することができる長さとして規定されている。
【０１０３】
図２８は、容器本体２０Ｄの格納限度に近い量の化粧品１００が格納されている状態を示す。蓋体１０Ｄが容器本体２０Ｄと係合すると、内蓋３２が化粧品１００の上部表面に接する。このとき、内蓋下部３２ｂは、内蓋本体部３２ａの重量によって、化粧品１００の上部表面に押し付けられている。これにより、内側下部３２ｂは、化粧品１００の上部表面に密着し、効果的に細菌を低減することができる。化粧品１００の上部表面には、好気性細菌が発生する可能性がある。このため、内蓋下部３２ｂは、好気性細菌を低減するために好適な金属の微粒子が樹脂中に分散されて構成される。内面２４Ｄは、第一の実施形態乃至第四の実施形態のいずれかの構成を適用する。
【０１０４】
図２９は、容器本体２０Ｄに格納した化粧品１００が消費されて減少した状態を示す。内蓋３２は、紐状部材３０を介して蓋体１０Ｄに接続されているから、容器本体２０Ｄ内の化粧品１００が減少しても、蓋体１０Ｄが容器本体２０Ｄと係合すると、内蓋３２が化粧品１００の上部表面に接する。このように、化粧品１００の残量に関わらず、内蓋下部３２ｂは、化粧品１００の上部表面に密着し、効果的に細菌を低減することができる。
【０１０５】
なお、本実施形態とは異なり、接続部材として圧縮コイルばねを採用するときには、ばねの復元力によって、内蓋３２を化粧品１００の上部表面に積極的に押圧することができるから、密着性を増すことができる。また、本実施形態とは異なり、内蓋下部３２ｂの下方の面（化粧品１００と接する面）を複数の凹部及び凸部を有する凹凸面として構成し、化粧品１００と接する面積を大きくするように構成してもよい。
【０１０６】
また、本実施形態とは異なり、容器本体２０Ｄは滅菌部を有さない構成とし、内蓋３２の内蓋下部３２ｂのみを滅菌部として構成してもよい。あるいは、本実施形態とは異なり、内蓋下部３２ｂを複数種類の金属微粒子を含有するものとして構成し、好気性細菌を好適に低減する金属微粒子の含有量を嫌気性細菌を好適に低減する金属微粒子の含有量よりも大きくするように構成してもよい。
【０１０７】
＜第九の実施形態＞
次に、図３０乃至図３４を参照して、第九の実施形態について説明する。第一の実施形態乃至第四の実施形態と共通する事項は説明を省略し、異なる部分を中心に説明する。
【０１０８】
蓋体１０Ｅには、筒状部材４０が接続されている。筒状部材４０は、中空構造の部材である。筒状部材４０は、上方の部分である上側部４０ｕと下方の部分である下側部４０ｄで構成される。
【０１０９】
図３１は、図３０に示す筒状部材４０の上側部４０ｕの周壁の部分Ｂ３の概略断面図である。上側部４０ｕの周壁は中心部４０ａと表層部４０ｂａから構成される。中心部４０ａは筒状部材４０の構造部材として機能し、その厚さＷ４は、筒状部材４０の形状を維持するために必要な強度を有する厚さであり、例えば、２ミリメートル（ｍｍ）である。表層部４０ｂａは、銅の微粒子２８Ａが樹脂中に分散され、かつ、銅の微粒子２８Ａは樹脂２６に覆われて表面に露出せず、銅の微粒子２８Ａの作用によって細菌を低減する滅菌部として構成されている。
【０１１０】
表層部４０ｂａの厚さＷ２は、銅の微粒子２８Ａの大きさとの関係で規定される所定範囲において規定される。その所定範囲の規定方法は、第一の実施形態の内面部２４の厚さＷ２の規定方法と同様である。
【０１１１】
図３２は、図３０に示す筒状部材４０の下側部４０ｄの周壁の部分Ｂ４の概略断面図である。下側部４０ｄは、上側部４０ｕの構成と以下の点が異なり、その他の点は同一である。すなわち、下側部４０ｄの表層部４０ｂｂは、中心部４０ａの側面と底面を覆うように形成されている。また、表層部４０ｂｂは、銀の微粒子２８Ｂが樹脂中に分散されており、銀の微粒子２８Ｂの作用によって細菌を低減する滅菌部として構成されている。
【０１１２】
上述のように、上側部４０ｕは好気性細菌の低減に好適であり、下側部４０ｄは嫌気性細菌の低減に好適に構成されている。すなわち、第一の実施形態における内面部２４に加えて、第二の滅菌部として、筒状部材４０が存在する。
【０１１３】
図３３に示すように、筒状部材４０の長さは、容器本体２０Ｅの底面に接する長さとして規定されている。図３３は、容器本体２０Ｅの格納限度に近い量の化粧品１００が格納されている状態を示す。蓋体１０Ｅが容器本体２０Ｅと係合すると、筒状部材４０が化粧品１００の中を通過し、容器本体２０Ｅの底面に接する。このとき、筒状部材４０の内面と外面の双方が化粧品１００と接している。これにより、効果的に細菌を低減することができる。
【０１１４】
図３４は、容器本体２０Ｅに格納した化粧品１００が消費されて減少した状態を示す。筒状部材４０は、容器本体２０Ｅの底面に接するから、容器本体２０Ｅ内の化粧品１００が減少しても、蓋体１０Ｅが容器本体２０Ｅと係合すると、筒状部材４０が化粧品１００と接する。このように、化粧品１００の残量に関わらず、筒状部材４０は、化粧品１００と接し、効果的に細菌を低減することができる。
【０１１５】
なお、本実施形態とは異なり、筒状部材４０の表層部４０ｂａ及び／または４０ｂｂの構成は、第二の実施形態乃至第四の実施形態のいずれかの態様を使用してもよい。
【０１１６】
＜第十の実施形態＞
次に、図３５乃至図３８を参照して、第十の実施形態について説明する。第一の実施形態乃至第四の実施形態と共通する事項は説明を省略し、異なる部分を中心に説明する。
【０１１７】
図３５に示すように、蓋体１０Ｆの天井面１０ｄには、２本の棒状部材５０が接続されている。なお、棒状部材５０は、一本以上であればよい。
【０１１８】
図３６は、図３５に示す棒状部材５０の部分Ｂ５の概略断面図である。棒状部材５０は中心部５０ａと表層部５０ｂから構成される。棒状部材５０の表層部５０ｂは、細菌を低減するために好適な金属の微粒子が樹脂中に分散され、かつ、金属の微粒子は樹脂２６に覆われて表面に露出せず、金属の微粒子の作用によって細菌を低減する滅菌部として構成されている。すなわち、第一の実施形態における内面部２４に加えて、第二の滅菌部として、棒状部材５０が存在する。
【０１１９】
表層部５０ｂの厚さＷ２は、銅の微粒子２８の外形の大きさとの関係で規定される所定範囲において規定される。その所定範囲の規定方法は、第一の実施形態の内面部２４の厚さＷ２の規定方法と同様である。中心部５０ａの厚さ（直径）Ｗ５は、第一の実施形態の厚さＷ１よりも大きく構成され、棒状部材５０によって化粧品１００を攪拌するときの抗力に十分に耐える強度を確保している。直径Ｗ５は、例えば、５ミリメートルである。
【０１２０】
棒状部材５０の長さは、蓋体１０Ｆが容器本体２０Ｆに係合したときに、容器本体２０Ｆの底面には接しないが、その最下部が底面の近傍に位置する長さとして規定されている。
【０１２１】
図３５及び図３７に示すように、棒状部材５０は、蓋体１０Ｆの中心から乖離した位置に接続されている。これにより、蓋体１０Ｆが容器本体２０Ｆへの脱着のために回動すると、図３５及び図３７の矢印Ａ１に示すように、円を描くように回動する。これにより、容器本体２０Ｆに格納された化粧品１００を攪拌するように構成されている。
【０１２２】
図３８は、容器本体２０Ｆの格納限度に近い量の化粧品１００が格納されている状態を示す。蓋体１０Ｆが容器本体２０Ｆと係合すると、棒状部材５０が化粧品１００の中を通過し、その最下部は、容器本体２０Ｆの底面に近い位置に位置する。このとき、棒状部材５０の表層部５０ｂが化粧品１００と接している。これにより、効果的に細菌を低減することができる。
【０１２３】
さらに、図３８の状態から、蓋体１０Ｆを容器本体２０Ｆから外すときに、蓋体１０Ｆの回動に伴って、棒状部材５０も回動し、化粧品１００を攪拌する。これにより、棒状部材５０は、化粧品１００の多くの部分と接し、より効果的に細菌を低減することができる。
【０１２４】
棒状部材５０の表層部５０ｂの構成は、第一の実施形態１乃至第四の実施形態のいずれかを使用する。
【０１２５】
＜第十一の実施形態＞
次に、図３９乃至図４２を参照して、第十一の実施形態について説明する。第一の実施形態乃至第四の実施形態と共通する事項は説明を省略し、異なる部分を中心に説明する。
【０１２６】
図３９に示すように、容器本体２０Ｇには、内蓋３４が配置されている。内蓋３４は、本体側内蓋の一例である。
【０１２７】
図４０に示すように、内蓋３４は、上部を構成する内蓋本体部３４ａと、下部を構成する内蓋下部３４ｂが一体に形成されて構成されている。内蓋本体部３４ａは本体側内蓋本体部の一例であり、内蓋下部３４ｂは本体側内蓋下部の一例である。
【０１２８】
内蓋本体部３４ａは、側壁部３４ａ１及び凹部の底面部３４ａ２で構成されている。内蓋３４には、上下方向に貫通する貫通孔３４ｓが形成されている。
【０１２９】
内蓋下部３４ｂは滅菌部として構成されている。内蓋下部３４ｂは、好気性細菌を低減するために好適な金属の微粒子として、例えば、銅の微粒子２８Ａが樹脂中に分散されて構成されている。
【０１３０】
内蓋下部３４ｂの厚さＷ２は、銅の微粒子２８Ａの大きさとの関係で規定される所定範囲において規定される。その所定範囲の規定方法は、第一の実施形態の内面部２４の厚さＷ２の規定方法と同様である。
【０１３１】
内蓋３４の外径Ｗ８（図４１参照）は、容器本体２０Ｇの内径Ｗ７と等しいか、内径Ｗ７に対して所定の極小割合だけ大きい。極小割合は、例えば、０．５％乃至１．０％である。これにより、内蓋３４の外周と容器本体２０Ｇの内面部２４の間は実質的に隙間が存在しない、または、僅かな隙間が存在するように構成される。内蓋３４は、容器本体２０Ｇに対して、上下方向に摺動可能な状態において配置されている。
【０１３２】
図３９に示す状態において、内蓋３４を上方（矢印Ｚ１方向から）から押圧すると、内蓋３４は摺動しつつ下方に移動し、図４２に示すように、貫通孔３４ｓから化粧品１００ａが押し出される。化粧品１００ａは、貫通孔３４ｓから押し出される直前まで、内蓋３４の下方に位置していたから、外部の細菌と接する可能性は低く、細菌が発生したとしても内蓋下部３４ｂの滅菌効果によって、低減されている。
【０１３３】
なお、本実施形態とは異なり、内蓋下部３４ｂは、銅の微粒子２８Ａと銀の微粒子２８Ｂの双方を含有するように構成してもよい。ただし、銅の微粒子２８Ａの含有量が、銀の微粒子２８Ｂの含有量よりも多くする。これにより、内蓋下部３４ｂは、好気性細菌を効果的に低減しつつ、嫌気性細菌も低減することができる。
【０１３４】
＜第一の参考形態＞
次に、図４３を参照して、第一の参考形態について説明する。第一の実施形態と共通する事項は説明を省略し、異なる部分を中心に説明する。
【０１３５】
第一の参考形態の化粧品容器の容器本体２０Ｈの内面部２４Ｈは、銅の薄板部材２６Ｈが樹脂で形成される樹脂層２８Ｈに覆われて形成されている。また、薄板部材２６Ｈは、側面にのみ配置されている。
【０１３６】
内部空間Ｓ１に化粧品１００が格納されると、薄板部材２６Ｈの銅の作用によって、化粧品中の細菌を低減することができる。
【０１３７】
＜第二の参考形態＞
次に、図４４を参照して、第二の参考形態について説明する。第一の実施形態と共通する事項は説明を省略し、異なる部分を中心に説明する。
【０１３８】
第二の参考形態の化粧品容器の容器本体２０Ｊの内面部２４Ｊは、銅の薄板部材２６Ｊが樹脂で形成される樹脂層２８Ｊに覆われて形成されている。また、薄板部材２６Ｈは、底面にのみ配置されている。
【０１３９】
内部空間Ｓ１に化粧品が格納されると、薄板部材２６Ｊの銅の作用によって、化粧品中の細菌を低減することができる。
【０１４０】
なお、本発明の化粧品容器は、上記実施形態に限らず、本発明の要旨を逸脱しない範囲内において種々変更を加えることができる。また、各上記実施形態は、技術的に矛盾を生じない限り、適宜、組み合わせることができる。
【符号の説明】
【０１４１】
１，１Ｄ，１Ｅ，１Ｆ  化粧品容器
１０，１０Ｄ，１０Ｅ，１０Ｆ  蓋体
２０，２０Ａ，２０Ｂ，２０Ｃ，２０Ｄ，２０Ｅ，２０Ｆ，２０Ｇ，２０Ｈ，２０Ｊ  容器本体
２２  本体部
２４，２４Ｘ，２４Ｙ，２４Ｚ  内面部
２６  樹脂
２８Ａ  銅の微粒子
２８Ｂ  銀の微粒子
３２，３４  内蓋
４０  筒状部材
５０  棒状部材
１００  化粧品
【要約】
本発明は、化粧品中の細菌を低減することができる化粧品容器等を提供するものである。本発明の化粧品容器の容器本体２０は、容器本体２０の基本構造を構成する本体部２２と、容器本体２０の内面を構成する内面部２４によって構成されている。内面部２４は、細菌を低減する効果を有する金属の微粒子が樹脂中に分散し、微粒子の作用によって細菌を低減する滅菌部として構成されている。微粒子は内面部２４の表面に露出しないように構成されている。内面部２４の各位置において問題となると想定される細菌の種類に応じて、滅菌部を構成する金属の種類が規定されている。【図１】
0006826748.tif 000002
【図２】
0006826748.tif 000003
【図３】
0006826748.tif 000004
【図４】
0006826748.tif 000005
【図５】
0006826748.tif 000006
【図６】
0006826748.tif 000007
【図７】
0006826748.tif 000008
【図８】
0006826748.tif 000009
【図９】
0006826748.tif 000010
【図１０】
0006826748.tif 000011
【図１１】
0006826748.tif 000012
【図１２】
0006826748.tif 000013
【図１３】
0006826748.tif 000014
【図１４】
0006826748.tif 000015
【図１５】
0006826748.tif 000016
【図１６】
0006826748.tif 000017
【図１７】
0006826748.tif 000018
【図１８】
0006826748.tif 000019
【図１９】
0006826748.tif 000020
【図２０】
0006826748.tif 000021
【図２１】
0006826748.tif 000022
【図２２】
0006826748.tif 000023
【図２３】
0006826748.tif 000024
【図２４】
0006826748.tif 000025
【図２５】
0006826748.tif 000026
【図２６】
0006826748.tif 000027
【図２７】
0006826748.tif 000028
【図２８】
0006826748.tif 000029
【図２９】
0006826748.tif 000030
【図３０】
0006826748.tif 000031
【図３１】
0006826748.tif 000032
【図３２】
0006826748.tif 000033
【図３３】
0006826748.tif 000034
【図３４】
0006826748.tif 000035
【図３５】
0006826748.tif 000036
【図３６】
0006826748.tif 000037
【図３７】
0006826748.tif 000038
【図３８】
0006826748.tif 000039
【図３９】
0006826748.tif 000040
【図４０】
0006826748.tif 000041
【図４１】
0006826748.tif 000042
【図４２】
0006826748.tif 000043
【図４３】
0006826748.tif 000044
【図４４】
0006826748.tif 000045